(57)【要約】【課題】電子番組表で表示する時間枠／チャンネル枠によっては、番組セルの表示領域が限られているため、番組に関する全てのアイコンを表示することが出来ず、ユーザが知りたいアイコン属性が表示されない場合があった。【解決手段】視聴情報管理部１０１と、番組情報管理部１０２と、おすすめ番組管理部１０３と、予約番組管理部１０５と、制御部１０６と、アイコン属性決定部１０７と、番組表ＯＳＤ生成部１０８とから構成することにより、アイコン属性決定部１０７がユーザが知りたいアイコン属性を優先的に番組のアイコン属性とすることで、電子番組表の表示領域が限られていてもユーザが知りたいアイコン属性を表示することが可能となる。【選択図】図１
2006270501.tif 000002
【特許請求の範囲】
【請求項１】
番組セルの表示領域に制限のある電子番組表を表示する電子番組表表示装置であって、
番組のアイコン属性を決定するアイコン属性決定手段と、
前記アイコン属性決定手段が決定した前記アイコン属性を前記電子番組表に表示する表示手段とを備え、
前記アイコン属性決定手段は、番組に前記表示手段が表示中の前記アイコン属性に加え所定のアイコン属性が存在するようになった場合、前記表示手段が表示中の前記アイコン属性を前記所定のアイコン属性に切り換えることを特徴とする電子番組表表示装置。
【請求項２】
おすすめ番組の番組情報であるおすすめ情報を管理するおすすめ番組管理手段と、
予約番組の番組情報である予約情報を管理する予約番組管理手段とを更に備え、
前記アイコン属性決定手段は、番組に前記おすすめ情報に加え前記予約情報が存在するようになった場合、アイコン属性をおすすめ番組から予約番組へと切り換えることを特徴とする請求項１記載の電子番組表表示装置。
【請求項３】
前記アイコン属性決定手段は、番組に前記予約情報が存在しなくなった場合、アイコン属性を予約番組からおすすめ番組へと切り換えることを特徴とする請求項２記載の電子番組表表示装置。
【請求項４】
番組セルの表示領域に制限のある電子番組表を表示する電子番組表表示装置であって、
アイコン属性の優先順位を管理するアイコン属性順位管理手段と、
番組の前記アイコン属性を決定するアイコン属性決定手段と、
前記アイコン属性決定手段が決定した前記アイコン属性を前記電子番組表に表示する表示手段とを備え、
前記アイコン属性決定手段は、番組に複数のアイコン属性が存在するようになった場合、前記アイコン属性順位管理手段が管理する前記優先順位に基づいて、前記表示手段に表示させるアイコン属性を決定することを特徴とする電子番組表表示装置。
【請求項５】
アイコン属性の優先順位を入力する入力手段を更に備え、
前記アイコン属性順位管理手段は、前記入力手段が入力する前記優先順位に基づいて前記アイコン属性の優先順位を管理することを特徴とする請求項４記載の電子番組表表示装置。
【請求項６】
前記アイコン属性決定手段は、優先順位が最大のアイコン属性を前記表示手段に表示させることを特徴とする請求項４または５に記載の電子番組表表示装置。
【請求項７】
前記アイコン属性決定手段は、番組に複数のアイコン属性が存在するようになった場合、前記アイコン属性順位管理手段が管理する前記優先順位に基づいて、前記表示手段に表示させる複数のアイコン属性を決定し、
前記表示手段は、前記アイコン属性決定手段が決定した複数の前記アイコン属性を合成して前記電子番組表に表示することを特徴とする請求項４または５に記載の電子番組表表示装置。
【請求項８】
前記表示手段は、前記アイコン属性決定手段が決定した複数の前記アイコン属性を、前記優先順位に基づいた割合で合成して前記電子番組表に表示することを特徴とする請求項７記載の電子番組表表示装置。
【請求項９】
番組セルの表示領域に制限のある電子番組表を表示する電子番組表表示装置に用いられる電子番組表表示方法であって、
前記電子番組表に表示中のアイコン属性に加え所定のアイコン属性が存在するか否かを判定するステップと、
前記所定のアイコン属性が存在すると判定された場合に、番組のアイコン属性を前記所定のアイコン属性に切り換えるステップと、
前記表示中のアイコン属性に代えて前記切り換えたアイコン属性を前記電子番組表に表示するステップとを有することを特徴とする電子番組表表示方法。
【請求項１０】
番組セルの表示領域に制限のある電子番組表を表示する電子番組表表示装置に用いられる電子番組表表示方法であって、
おすすめ番組の番組情報であるおすすめ情報を管理するステップと、
予約番組の番組情報である予約情報を管理するステップと、
番組に前記おすすめ情報に加え前記予約情報が存在するか否かを判定するステップと、
番組に前記おすすめ情報に加え前記予約情報が存在すると判定された場合に、番組のアイコン属性をおすすめ番組から予約番組へと切り換えるステップと、
表示中のアイコン属性であるおすすめ番組に代えて、切り換えたアイコン属性である予約番組を前記電子番組表に表示するステップとを有することを特徴とする電子番組表表示方法。
【請求項１１】
番組セルの表示領域に制限のある電子番組表を表示する電子番組表表示装置に用いられる電子番組表表示方法であって、
アイコン属性の優先順位を管理するステップと、
番組に複数のアイコン属性が存在するようになった場合、前記優先順位に基づいて、表示させる前記アイコン属性を決定するステップと、
決定された前記アイコン属性を前記電子番組表に表示させるステップとを有することを特徴とする電子番組表表示方法。
【発明の詳細な説明】
【技術分野】
【０００１】
本発明は、電子番組表表示装置及び電子番組表表示方法に関し、更に詳しくは、テレビ受信機の電子番組表におすすめ番組あるいは予約番組等のアイコン属性を表示することが可能な電子番組表表示装置及び電子番組表表示方法に関する。
【背景技術】
【０００２】
従来、ユーザの嗜好情報と一致する番組と残りの番組とを区別して一覧表示する装置が公知である（例えば、特許文献１参照）。
【０００３】
上記装置は、ユーザの嗜好情報に基づいて抽出した「おすすめ番組」におすすめマークを付して表示し、残りの番組にはおすすめマークを付さずに表示することで、おすすめ番組以外の番組を知ったうえで、おすすめ番組を確認し、視聴又は録画する番組を選択することを可能にする。
【特許文献１】特開２００４−１５７６１７号公報
【発明の開示】
【発明が解決しようとする課題】
【０００４】
ところで、電子番組表で表示される各番組は、夫々アイコン属性を有することがある。アイコン属性とは、各番組を電子番組表に表示する際に付与して表示することで、視覚的に番組の種別や特徴、状態等をユーザに知らせるためのアイコンに帰属する属性であって、例えば、「おすすめ番組」、「予約番組」等である。
【０００５】
電子番組表においては、アイコン属性を視覚的にアイコンで表示する。上記特許文献１の装置では、「おすすめ番組」のアイコン属性を示すアイコンとしておすすめマークを表示している。
【０００６】
しかしながら、アイコン属性を示すアイコンを電子番組表の対応する番組の番組セルに表示しようとした場合、電子番組表で表示する時間枠／チャンネル枠によっては、番組セルの表示領域が限られているためアイコンを全て表示できないという問題があった。
【０００７】
本発明は、上記事情に鑑みてなされたもので、番組セルの表示領域に制限のある電子番組表において、電子番組表の番組セルに表示するアイコンを優先順位を付けて表示する、または切り換えて表示する、あるいは合成して表示することが可能な電子番組表表示装置及び電子番組表表示方法を提供することを目的とする。
【課題を解決するための手段】
【０００８】
本発明の電子番組表表示装置は、番組セルの表示領域に制限のある電子番組表を表示する電子番組表表示装置であって、番組のアイコン属性を決定するアイコン属性決定手段と、アイコン属性決定手段が決定したアイコン属性を前記電子番組表に表示する表示手段とを備え、アイコン属性決定手段は、番組に前記表示手段が表示中のアイコン属性に加え所定のアイコン属性が存在するようになった場合、表示手段が表示中のアイコン属性を所定のアイコン属性に切り換えることを特徴とする。
【０００９】
また、本発明の電子番組表表示方法は、番組セルの表示領域に制限のある電子番組表を表示する電子番組表表示装置に用いられる電子番組表表示方法であって、電子番組表に表示中のアイコン属性に加え所定のアイコン属性が存在するか否かを判定するステップと、所定のアイコン属性が存在すると判定された場合に、番組のアイコン属性を所定のアイコン属性に切り換えるステップと、表示中のアイコン属性に代えて切り換えたアイコン属性を電子番組表に表示するステップとを有することを特徴とする。
【発明の効果】
【００１０】
以上のように、本発明では放送予定の番組を表示する電子番組表に表示される一つの番組に対して、アイコン属性を一つしか表示できない制約がある場合、ユーザにとって重要度の高いアイコン属性、例えば、予約番組を示すアイコンを、他のアイコン属性と切り換えて表示することができる。
【００１１】
また、アイコン属性に優先順位を設けて、最も優先順位の高いアイコン属性を示すアイコンを表示することにより、最もユーザが知りたい或いは最もユーザに知らせたい情報を提供することができる。
【発明を実施するための最良の形態】
【００１２】
（実施の形態１）
図１は、本発明の実施の形態１における電子番組表表示装置の構成を示すブロック図である。電子番組表表示装置１００は、視聴情報管理部１０１と、番組情報管理部１０２と、おすすめ番組管理部１０３と、予約番組管理部１０５と、制御部１０６と、アイコン属性決定部１０７と、番組表ＯＳＤ生成部１０８と、表示部１０９及び入力部１１０から構成される。
【００１３】
本実施の形態１の電子番組表表示装置１００は、番組セルの表示領域に制限のある電子番組表において、電子番組表の番組セルに表示するアイコンを切り換えて表示する。例えば、アイコン属性として「おすすめ番組」と「予約番組」が存在する場合、これらを切り換えて表示する。
【００１４】
視聴情報管理部１０１は、過去にユーザが視聴した番組の放送時間及びタイトル、番組内容データなどから構成される視聴情報を記憶する。
【００１５】
番組情報管理部１０２は、放送予定の番組が特定でき、且つ少なくとも番組の放送スケジュール及び番組内容を含む番組情報を放送電波或いはインターネット経由で取得して管理する。
【００１６】
おすすめ番組管理部１０３は、視聴情報管理部１０１から取得した視聴情報を基に、番組情報管理部１０２が管理する番組情報を検索してユーザの嗜好に近い番組を抽出し管理するもので、常に最新状態に更新して管理する。ここで、ユーザの嗜好に近い番組をおすすめ番組と呼び、またおすすめ番組の番組情報の集合をおすすめ情報と呼ぶ。
【００１７】
予約番組管理部１０５は、録画予約あるいは視聴予約が指示された番組を抽出し管理するもので、常に最新状態に更新して管理する。ここで、録画予約あるいは視聴予約が指示された番組を予約番組と呼び、また予約番組の番組情報の集合を予約情報と呼ぶ。
【００１８】
制御部１０６は、入力部１１０から電子番組表表示要求の通知を受け取ると、番組情報管理部１０２から番組情報を取得し、また、おすすめ番組管理部１０３からおすすめ情報を取得し、更に、予約番組管理部１０５から予約情報を取得し、アイコン属性決定部１０７に番組表表示時処理要求の通知を出す。
【００１９】
或いは、入力部１１０から番組予約要求の通知を受け取ると、おすすめ番組管理部１０３からおすすめ情報を取得し、アイコン属性決定部１０７に番組予約要求の対象となった番組（以下、予約対象番組と呼ぶ）の番組情報と共に番組予約時処理要求の通知を出す。
【００２０】
或いは、入力部１１０から番組予約キャンセル要求の通知を受け取ると、おすすめ番組管理部１０３からおすすめ情報を取得し、アイコン属性決定部１０７に番組予約キャンセル要求の対象となった番組（以下、予約キャンセル対象番組と呼ぶ）の番組情報と共に番組予約キャンセル時処理要求の通知を出す。
【００２１】
アイコン属性決定部１０７は、制御部１０６から番組表表示時処理要求の通知を受け取ると、制御部１０６から番組情報及びおすすめ情報及び予約情報を取得し、おすすめ情報内の番組を用いて番組情報の中からおすすめ番組を検索し、また、予約情報内の番組を用いて予約番組を検索し、番組情報に含まれる該当した各番組に対して、おすすめ番組であることを示すおすすめ属性及び予約番組であることを示す予約属性のいずれかを、番組表に表示するアイコン属性とすることを決定する（ＥＰＧ表示処理）。
【００２２】
或いは、制御部１０６から番組予約時処理要求の通知を受け取ると、制御部１０６からおすすめ情報を取得し、おすすめ情報の中から予約対象番組を検索し、予約対象番組に対して、予約属性を番組表に表示するアイコン属性とすることを決定する（番組予約処理）。
【００２３】
或いは、制御部１０６から番組予約キャンセル時処理要求の通知を受け取ると、制御部１０６からおすすめ情報を取得し、おすすめ情報の中から予約キャンセル対象番組を検索し、予約キャンセル対象番組に対して、おすすめ属性を番組表に表示するアイコン属性とする、或いはアイコン属性を解除することを決定する（番組予約キャンセル処理）。ＥＰＧ表示処理、番組予約処理及び番組予約キャンセル処理については、後程、図２から図４を用いて詳述する。
【００２４】
番組表ＯＳＤ生成部１０８は、番組情報管理部１０２からの番組情報を基に番組表ＯＳＤを生成し、アイコン属性決定部１０７から番組情報に含まれる番組に対応するアイコン属性が得られた場合は、番組表ＯＳＤ上で該当する番組にアイコン属性を示すアイコンを付加してＯＳＤを生成する。即ちおすすめ属性が得られた場合はおすすめ番組を示すアイコンを付してＯＳＤを生成し、予約属性が得られた場合は予約番組を示すアイコンを付してＯＳＤを生成する。表示部１０９は、番組表ＯＳＤを表示するディスプレイ等の表示装置である。
【００２５】
入力部１１０は、電子番組表表示要求の通知を制御部１０６に送る。或いは番組予約要求の通知と共に予約対象番組の番組情報を制御部１０６に送る。或いは番組予約キャンセル要求の通知と共に予約キャンセル対象番組の番組情報を制御部１０６に送る。ここで、番組予約要求の通知及び番組予約キャンセル要求の通知は予約番組管理部１０５の状態が変更された後に送信されるものとする。
【００２６】
なお、おすすめ情報は視聴情報を元に番組情報管理部１０２から取得する番組情報を検索してユーザの嗜好に近い番組を抽出するとしたが、不特定多数の視聴履歴やアンケート結果を基に構成された情報を元に番組情報管理部１０２から取得する番組情報を検索することで番組を抽出しても良い。
【００２７】
次に、アイコン属性決定部１０７が番組表表示時処理要求の通知を受け、制御部１０６から番組情報及びおすすめ情報及び予約情報を取得した後のＥＰＧ表示処理を図２のフローチャートを用いて説明する。アイコン属性決定部１０７が番組情報内の各番組に対して電子番組表に表示するアイコン属性を一つだけ決定し、番組表ＯＳＤ生成部１０８が電子番組表を表示する際の手順を示すフローチャートである。
【００２８】
以下は、アイコン属性決定部１０７が実行する。
【００２９】
制御部１０６から得た番組情報内の番組（本フローチャートでは、検索対象番組と呼ぶ）を用いて、制御部１０６から得たおすすめ情報を検索し、いずれかのおすすめ番組と一致すればステップＳ１０２へと進み、一致しなければＳ１０３へと進む（ステップＳ１０１）。検索対象番組に対して、電子番組表に表示するアイコン属性としておすすめ属性を与え、ステップ１０３へ進む（ステップＳ１０２）。
【００３０】
検索対象番組を用いて、制御部１０６から得た予約情報を検索し、いずれかの予約番組と一致すればステップＳ１０４へと進み、一致しなければステップＳ１０７へと進む（ステップＳ１０３）。検索対象番組に対して電子番組表に表示するアイコン属性としておすすめ属性が設定されていればステップＳ１０５へと進み、設定されていなければステップＳ１０６へと進む（ステップＳ１０４）。検索対象番組に対して、電子番組表に表示するアイコン属性をおすすめ属性から予約属性に切り換える（ステップＳ１０５）。検索対象番組に対して電子番組表に表示するアイコン属性として予約属性を与える（ステップＳ１０６）。
【００３１】
番組情報内の全番組が検索対象番組として用いられたならばステップＳ１０８へと進み、用いられていなければステップＳ１０１へと進み、まだ検索対象番組になったことがない他の番組を検索対象番組とする（ステップＳ１０７）。
【００３２】
以下は、番組表ＯＳＤ生成部１０８が実行する。
【００３３】
番組情報管理部１０２から番組情報を取得し、さらにアイコン属性決定部１０７からは番組情報内の番組に対して与えられた電子番組表に表示するアイコン属性を取得し、番組表に表示するアイコン属性が番組に対して設定されていればステップＳ１０９へ進み、設定されていなければステップＳ１１０へと進む（ステップＳ１０８）。電子番組表に表示するアイコン属性として設定されたアイコン属性を示すアイコンを付加して番組セルを生成する（ステップＳ１０９）。アイコンを付加しない通常の番組セルを生成する（ステップＳ１１０）。電子番組表に表示する全ての番組セルの生成が完了していればステップＳ１１２へ進み、完了していなければ、ステップＳ１０８へ進み、次の番組の番組セルを生成する（ステップＳ１１１）。生成された番組セルを用いて電子番組表を表示する（ステップＳ１１２）。
【００３４】
なお、図２に示す本実施の形態１のＥＰＧ表示処理では、番組情報内の番組を用いておすすめ情報を検索した後に、番組情報内の番組を用いて予約情報を検索し、全番組の検索完了後に電子番組表に表示するアイコン属性を与える手順としたが、先に番組情報内の番組を用いて予約情報を検索した後に、予約番組と一致しなかった番組情報内の番組を用いておすすめ情報を検索し、全番組の検索完了後或いは検索の都度、電子番組表に表示するアイコン属性を与える手順としてもよい。
【００３５】
また、おすすめ情報のおすすめ番組を用いて番組情報を検索した後に、予約情報の予約番組を用いて番組情報を検索し、検索の都度、電子番組表に表示するアイコン属性を与えることとしても良い。
【００３６】
また、予約情報の予約番組を用いて番組情報を検索した後に、おすすめ情報のおすすめ番組を用いて番組情報を検索し、全番組の検索完了後或いは検索の都度、電子番組表に表示するアイコン属性を与えることとしても良い。
【００３７】
図３は、番組予約処理を示すフローチャートである。詳しくは、アイコン属性決定部１０７が番組予約時処理要求の通知を受け、制御部１０６からおすすめ情報を取得した後に、予約対象番組に対して電子番組表に表示するアイコン属性を一つだけ決定し、番組表ＯＳＤ生成部１０８が番組表を再表示する際の手順を示すフローチャートである。
【００３８】
以下は、アイコン属性決定部１０７が実行する。
【００３９】
制御部１０６から得た予約対象番組を用いて、制御部１０６から得たおすすめ情報を検索し、いずれかのおすすめ番組と一致すればステップＳ２０２へと進み、一致しなければＳ２０３へと進む（ステップＳ２０１）。予約対象番組に対して、電子番組表に表示するアイコン属性をおすすめ属性から予約属性に切り換える（ステップＳ２０２）。予約対象番組の電子番組表に表示するアイコン属性として予約属性を与える（ステップＳ２０３）。
【００４０】
以下は、番組表ＯＳＤ生成部１０８が実行する。
【００４１】
予約属性を示すアイコンを付加して予約対象番組の番組セルを生成する（ステップＳ２０４）。電子番組表に表示している予約対象番組の番組セルをステップＳ２０４で生成された番組セルに置き換えて電子番組表を再表示する（ステップＳ２０５）。
【００４２】
なお、図３に示す本実施の形態１の番組予約処理では、予約対象番組を用いておすすめ情報を検索しているが、予約対象番組に対して強制的に予約属性を与える手順としても良い。
【００４３】
図４は、番組予約キャンセル処理を示すフローチャートである。詳しくは、アイコン属性決定部１０７が番組予約キャンセル時処理要求の通知を受け、制御部１０６からおすすめ情報を取得した後に、予約キャンセル対象番組に対して電子番組表に表示するアイコン属性を一つだけ決定し、番組表ＯＳＤ生成部１０８が電子番組表を再表示する際の手順を示すフローチャートである。
【００４４】
以下は、アイコン属性決定部１０７が実行する。
【００４５】
制御部１０６から得た予約キャンセル対象番組を用いて、制御部１０６から得たおすすめ情報を検索し、いずれかのおすすめ番組と一致すればステップＳ３０２へと進み、一致しなければＳ３０３へと進む（ステップＳ３０１）。予約キャンセル対象番組に対する電子番組表に表示するアイコン属性を予約属性からおすすめ属性に切り換える（ステップＳ３０２）。予約キャンセル対象番組について電子番組表に表示するアイコン属性から予約属性を解除する（ステップＳ３０４）。
【００４６】
以下は、番組表ＯＳＤ生成部１０８が実行する。
【００４７】
おすすめ属性を示すアイコンを付加して予約キャンセル対象番組の番組セルを生成する（ステップＳ３０３）。アイコンを付加しない通常の予約キャンセル対象番組の番組セルを生成する（ステップＳ３０５）。電子番組表に表示している予約キャンセル対象番組の番組セルをステップＳ３０３或いはステップＳ３０５で生成された番組セルに置き換えて電子番組表を再表示する（ステップＳ３０６）。
【００４８】
図５は時間軸を縦軸に与え、チャンネルの列を横軸に与えて、番組情報を基に構成された電子番組表の一例を示す図である。セルＡ１は予約番組であり且つおすすめ番組ではない番組の一例であり、アイコン属性決定部１０７が図２或いは図３のフローチャートに従って予約属性を与えるため、予約属性を示す予約アイコンＢ１を付加した表示になる。
【００４９】
セルＡ２は予約番組ではなく且つおすすめ番組である番組の一例であり、アイコン属性決定部１０７が図２或いは図４のフローチャートに従っておすすめ属性を与えるため、おすすめ属性を示すおすすめアイコンＢ２を付加した表示になる。
【００５０】
セルＡ３は予約番組且つおすすめ番組である番組の一例であり、アイコン属性決定部１０７が図２或いは図３のフローチャートに従って予約属性を与えるため、予約アイコンＢ１を付加した表示になる。
【００５１】
なお、電子番組表は一例であって、時間軸を横軸に与え、チャンネルの列を縦軸に与えても良い。また、任意の１つのチャンネルの電子番組表（一覧表示形式）であっても良い。また、任意の時間帯の電子番組表であっても良い。また、任意のジャンル或いは出演者の番組だけが表示された電子番組表であっても良い。
【００５２】
（実施の形態２）
図６は、本発明の実施の形態２における電子番組表表示装置の構成を示すブロック図である。電子番組表表示装置２００は、番組情報管理部１０２と、アイコン属性管理部２０１と、アイコン属性順位管理部２０２と、制御部２０３と、アイコン属性決定部２０４と、番組表ＯＳＤ生成部１０８と、表示部１０９及び入力部２０５から構成される。
【００５３】
本実施の形態２の電子番組表表示装置２００は、番組セルの表示領域に制限のある電子番組表において、電子番組表の番組セルに表示するアイコンを優先順位（以下、アイコン属性順位と呼ぶ）に従って切り換えて表示する。例えば、アイコン属性として優先順位１位のアイコン属性と優先順位２位のアイコン属性と優先順位３位のアイコン属性とが存在する場合は優先順位１位のアイコン属性のアイコンを表示し、優先順位１位のアイコン属性がなくなると優先順位２位のアイコン属性のアイコンに切り換えて表示する。図６において、図１と同じ構成要素については同じ符号を用い、説明を省略する。
【００５４】
アイコン属性管理部２０１は、番組情報管理部１０２から取得する番組情報を検索して、各アイコン属性を持つ番組を抽出し、アイコン属性毎に番組を管理するもので、アイコン属性毎に常に最新状態に更新して管理する。ここで、アイコン属性毎に管理された番組の集合をアイコン属性番組情報と呼ぶ。
【００５５】
アイコン属性順位管理部２０２は、アイコン属性管理部２０１が管理するアイコン属性の優先順位を保持する。
【００５６】
制御部２０３は、入力部２０５から番組表表示要求の通知を受けると、番組情報管理部１０２から番組情報を取得し、また、アイコン属性順位管理部２０２からアイコン属性順位を取得し、また、アイコン属性管理部２０１からアイコン属性番組情報を取得し、アイコン属性決定部２０４に番組表表示時処理要求の通知を出す。
【００５７】
或いは、番組情報管理部１０２の番組情報内の番組にアイコン属性を追加させる通知（以下、アイコン属性追加要求の通知）を入力部２０５から受け取ると、アイコン属性順位管理部２０２からアイコン属性の優先順位を取得し、また、アイコン属性管理部２０１からアイコン属性番組情報を取得し、アイコン属性決定部２０４にアイコン属性追加要求の対象となった番組（以下、アイコン属性変更対象番組と呼ぶ）の番組情報と共にアイコン属性変更時処理要求の通知を出す。
【００５８】
或いは、アイコン属性番組情報内の番組のアイコン属性を削除させる通知（以下、アイコン属性削除要求の通知）を入力部２０５から受け取ると、アイコン属性順位管理部２０２からアイコン属性の優先順位を取得し、また、アイコン属性管理部２０１からアイコン属性番組情報を取得し、アイコン属性決定部２０４にアイコン属性削除要求の対象となった番組（以下、前記アイコン属性変更対象番組に統一する）の番組情報と共にアイコン属性変更時処理要求の通知を出す。
【００５９】
アイコン属性決定部２０４は、制御部２０３から番組表表示時処理要求の通知を受け取ると、制御部２０３から番組情報及びアイコン属性順位及びアイコン属性番組情報を取得し、番組情報の中からアイコン属性番組情報内の番組と一致する番組を検索し、一致した各番組に対してはアイコン属性のいずれか一つを電子番組表に表示するアイコン属性とすることを決定する。
【００６０】
或いは、アイコン属性変更時処理要求の通知を受け取ると、制御部２０３からアイコン属性順位及びアイコン属性番組情報を取得し、番組情報の中からアイコン属性変更対象番組を検索し、アイコン属性変更対象番組に対して、アイコン属性のいずれか一つを番組表に表示するアイコン属性とすること或いは電子番組表に表示するアイコン属性を解除することを決定する。これらのＥＰＧ表示処理については、後程、図７及び図８を用いて詳述する。
【００６１】
入力部２０５は、電子番組表表示要求の通知を制御部２０３に送る。或いは、アイコン属性追加要求の通知と共にアイコン属性変更対象番組の番組情報を制御部２０３に送る。或いは、アイコン属性削除要求の通知と共にアイコン属性変更対象番組の番組情報を制御部２０３に送る。アイコン属性追加要求の通知及びアイコン属性削除要求の通知はアイコン属性管理部２０１の状態が変更された後に送信されるものとする。
【００６２】
なお、アイコン属性順位管理部２０２が管理するアイコン属性順位は固定であっても良いし、ユーザ又は受信機又は外部機器によって変更可能であっても良い。また、アイコン属性管理部２０１が管理するアイコン属性は、全てのアイコン属性であっても良いし、一部であっても良い。
【００６３】
次に、アイコン属性決定部２０４が番組表表示時処理要求の通知を受け、制御部２０３から番組情報及びアイコン属性順位及びアイコン属性番組情報を取得した後のＥＰＧ表示処理（優先順位を考慮したＥＰＧ表示処理）を図７のフローチャートを用いて説明する。アイコン属性決定部２０４が番組情報に含まれる各番組に対して電子番組表に表示するアイコン属性を一つだけ決定し、番組表ＯＳＤ生成部１０８が電子番組表を表示する際の手順を示すフローチャートである。本フローチャートでは、制御部２０３から得たアイコン属性順位がＮ位まであるとして、任意の順位をｎ位、また、ｎ位のアイコン属性をアイコン属性ｎと呼ぶ。Ｎ、ｎは１以上の整数とする。
【００６４】
以下は、アイコン属性決定部１０７が実行する。
【００６５】
アイコン属性順位を初期化する。即ちｎ＝１とする（ステップＳ４０１）。アイコン属性番組情報の中からアイコン属性ｎのアイコン属性番組情報を取り出す（ステップＳ４０２）。
【００６６】
制御部２０３から得た番組情報内の番組（本フローチャートでは、検索対象番組と呼ぶ）を用いて、アイコン属性ｎのアイコン属性番組情報を検索し、いずれかの番組と一致すれば、ステップＳ４０４へと進み、一致しなければステップＳ４０５へと進む（ステップＳ４０３）。検索対象番組に対して電子番組表に表示するアイコン属性としてアイコン属性ｎを与え、ステップＳ４０７へと進む（ステップＳ４０４）。ｎがＮであればステップＳ４０７へと進み、ＮでなければステップＳ４０６へと進む（ステップＳ４０５）。アイコン属性順位を１つ下げる、即ち、ｎ＝ｎ＋１とし、ステップＳ４０２へと進む（ステップＳ４０６）。
【００６７】
番組情報内の全番組が検索対象番組として用いられたならばステップＳ４０８へと進み、用いられていなければステップＳ４０１へと進み、検索対象番組になったことのない他の番組を検索対象番組とする（ステップＳ４０７）。
【００６８】
以下は、番組表ＯＳＤ生成部１０８が実行する。
【００６９】
番組情報管理部１０２から番組情報を取得し、さらにアイコン属性決定部２０４から番組情報内の番組についての電子番組表に表示するアイコン属性を取得し、番組表に表示するアイコン属性が設定されていればステップＳ４０９へ進み、設定されていなければステップＳ４１０へと進む（ステップＳ４０８）。電子番組表に表示するアイコン属性として設定されたアイコン属性を示すアイコンを付加して番組セルを生成する（ステップＳ４０９）。アイコンを付加しない通常の番組セルを生成する（ステップＳ４１０）。
【００７０】
電子番組表に表示する全ての番組セルの生成が完了していればステップＳ４１２へ進み、完了していなければ、ステップＳ４０８へ進み、次の番組の番組セルを生成する（ステップＳ４１１）。生成された番組セルを用いて電子番組表を表示する（ステップＳ４１２）。
【００７１】
なお、ステップＳ４０４の後でステップＳ４０７へ進むこととしたが、ユーザが電子番組表の番組セルについて複数のアイコン属性を認識できるようにするため、ステップＳ４０４の後でステップＳ４０５へ進むように変えて、２種類以上のアイコン属性について番組が一致するかどうかを調べ、２種類以上のアイコン属性を検索対象番組の番組表に表示するアイコン属性として与える構成として、番組が一致したアイコン属性が１種類ならばそのアイコン属性に従ったアイコンを付加して番組セルを生成し、番組が一致したアイコン属性が２種類以上ならば優先度の高い方のアイコン属性に従ったアイコンを、アイコンの形状を変更して、或いはアイコンの色を変えて付加して番組セルを生成する、或いはアイコン属性順位の高い方のアイコン属性を示すアイコンに加えて、更に別のアイコンを付加或いは合成して番組セルを生成するとしてもよい。なお、合成は、複数のアイコン属性をそれらの優先順位に基づいた所定割合の比率で合成する。また、２種類以上のアイコン属性について番組が一致した場合、番組が一致したアイコン属性を示すアイコンを一定時間毎に順に入れ換えて表示させても良い。または、優先度の高いアイコン属性のみを電子番組表に付加表示し、その他のアイコン属性は番組の詳細な内容を示す番組詳細情報中に付加表示するようにしても良い。
【００７２】
図８は、アイコン属性変更を伴ったＥＰＧ表示処理を示すフローチャートである。詳しくは、アイコン属性決定部２０４がアイコン属性変更時処理要求の通知を受け、制御部２０３からアイコン属性順位及びアイコン属性番組情報を取得した後に、アイコン属性変更対象番組に対して番組表に表示するアイコン属性を一つだけ決定し、番組表ＯＳＤ生成部１０８が番組表を再表示する際の手順を示すフローチャートである。
【００７３】
以下は、アイコン属性決定部２０４が実行する。
【００７４】
アイコン属性順位を初期化する。即ちｎ＝１とする（ステップＳ５０１）。アイコン属性番組情報の中からアイコン属性ｎのアイコン属性番組情報を取り出す（ステップＳ５０２）。
【００７５】
制御部２０３から得たアイコン属性変更対象番組を用いて、制御部２０３から得たアイコン属性番組情報を検索し、いずれかの番組と一致すればステップＳ５０４へと進み、一致しなければＳ５０６へと進む（ステップＳ５０３）。アイコン属性変更対象番組について、電子番組表に表示するアイコン属性をアイコン属性ｎに切り換え、ステップＳ５０５へと進む（ステップＳ５０４）。ｎがＮであればステップＳ５０８へと進み、ＮでなければステップＳ５０７へと進む（ステップＳ５０６）。アイコン属性順位を１つ下げる、即ち、ｎ＝ｎ＋１とし、ステップＳ５０２へと進む（ステップＳ５０７）。アイコン属性変更対象番組の電子番組表に表示するアイコン属性からアイコン属性を解除し、ステップＳ５０９へと進む（ステップＳ５０８）。
【００７６】
以下は、番組表ＯＳＤ生成部１０８が実行する。
【００７７】
アイコン属性ｎを示すアイコンを付加してアイコン属性変更対象番組の番組セルを生成する（ステップＳ５０５）。アイコンを付加しない通常の予約キャンセル対象番組の番組セルを生成する（ステップＳ５０９）。電子番組表に表示している予約キャンセル対象番組の番組セルをステップＳ５０５或いはステップＳ５０９で生成された番組セルに置き換えて電子番組表を再表示する（ステップＳ５１０）。
【産業上の利用可能性】
【００７８】
本発明にかかる電子番組表表示装置は、アイコン属性を一つしか表示できない制約がある電子番組表において、ユーザにとって重要度の高いアイコン属性を優先的に、或いは表示中の他のアイコン属性と切り換えて電子番組表に付加表示することが可能であるため、番組の番組セルの大きさが固定の、或いは制約のある電子番組表においてアイコン属性を表示する全てのＡＶ機器で有用である。
【図面の簡単な説明】
【００７９】
【図１】本発明の実施の形態１における電子番組表表示装置の構成を示したブロック図
【図２】本発明の実施の形態１におけるＥＰＧ表示処理を示したフローチャート
【図３】本発明の実施の形態１における電子番組表表示装置の番組予約処理を示したフローチャート
【図４】本発明の実施の形態１における電子番組表表示装置の番組予約キャンセル処理を示したフローチャート
【図５】本発明の実施の形態１における電子番組表の一例を示した図
【図６】本発明の実施の形態２における電子番組表表示装置の構成を示したブロック図
【図７】本発明の実施の形態２における電子番組表表示装置の優先順位を考慮したＥＰＧ表示処理を示したフローチャート
【図８】本発明の実施の形態２における電子番組表表示装置のアイコン属性変更を伴ったＥＰＧ表示処理を示したフローチャート
【符号の説明】
【００８０】
１００、２００    電子番組表表示装置
１０１    視聴情報管理部
１０２    番組情報管理部
１０３    おすすめ番組管理部
１０５    予約番組管理部
１０６、２０３    制御部
１０７、２０４    アイコン属性決定部
１０８    番組表ＯＳＤ生成部
１０９    表示部
１１０、２０５    入力部
２０１    アイコン属性管理部
２０２    アイコン属性順位管理部
【図１】
2006270501.tif 000003
【図２】
2006270501.tif 000004
【図３】
2006270501.tif 000005
【図４】
2006270501.tif 000006
【図５】
2006270501.tif 000007
【図６】
2006270501.tif 000008
【図７】
2006270501.tif 000009
【図８】
2006270501.tif 000010